(57)【要約】      （修正有）【課題】セルフタッピングねじ軸の先端の円錐部がある深さまで壁面に穴を開けることが可能であり、穴を別に開けることを必要とせず、ナットを締め付けると、そのまま利用可能なアンカーを提供する。【解決手段】セルフタッピングねじ軸４０と、膨張スリーブ４１と、ナット４２と、から構成され、ドリルであるセルフタッピングねじ軸４０の先端には、円錐部が設けられており、その後方にねじ軸が設けられており、セルフタッピングねじ軸４０の尾端には、ねじ山４０４が設けられており、係止ロッド４０５が延びており、膨張スリーブ４１は、中空で円筒状を呈し、セルフタッピングねじ軸４０に嵌め設けられており、セルフタッピングねじ軸４０の先端と接触する端部に切り欠４１０が設けられており、ナット４２は、セルフタッピングねじ軸４０の尾端に設けられているねじ山４０４に螺着されており、その外径が膨張スリーブ４１の外径よりもやや大きい。【選択図】図５
0003196245.tif 000002
【実用新案登録請求の範囲】
【請求項１】
セルフタッピングねじ軸と、膨張スリーブと、ナットと、から構成され、ドリルである前記セルフタッピングねじ軸の先端には、円錐部が設けられており、その後方にねじ軸が設けられており、前記セルフタッピングねじ軸の尾端には、ねじ山が設けられており、係止ロッドが延びており、前記膨張スリーブは、中空で円筒状を呈し、前記セルフタッピングねじ軸に嵌め設けられており、前記セルフタッピングねじ軸の先端と接触する端部に切り欠が設けられており、前記ナットは、前記セルフタッピングねじ軸の尾端に設けられている前記ねじ山に螺着されており、その外径が前記膨張スリーブの外径よりもやや大きいことを特徴とするアンカー。
【考案の詳細な説明】
【技術分野】
【０００１】
本考案は、アンカーに関し、特に、ねじ軸にドリルが設けられているセルフタッピングねじ軸を有し、セルフタッピングねじ軸の先端の円錐部がある深さまで壁面に穴を開けることが可能であり、穴を別に開けることが必要せず、ナットを締め付けると、そのまま利用可能なアンカーに関するものである。
【背景技術】
【０００２】
アンカーは、支持枠、吊下げ枠やトレーなどを、壁面や床面などに固定するために使用されるものである。従来のアンカー１の構造は、図１に示すように、ねじ軸１０と、スリーブ１１と、ナット１２と、から構成される。ねじ軸１０は、一端が外側に拡径する円錐部１０１であり、他端にねじ山１０２が設けられている。スリーブ１１の一端に切り欠１１０が設けられている。
【０００３】
図２を参照する。図２は従来のアンカーの組合済み状態を示す模式図である。ねじ軸１０は、スリーブ１１に差し込まれており、円錐部１０１が露呈している。ナット１２は、ねじ軸１０の尾端に設けられているねじ山１０２に螺着されている。
【０００４】
次に、従来のアンカーの使用状態を説明する。図３を参照する。図３は従来のアンカーの使用状態を示す模式図１である。壁面にアンカー１を付けたいときには、まず、ドリル２により、壁面にある深さを有する穴３０を開ける。その後、図４に示すように、壁面３の穴３０にアンカー１を打ち込んで、ねじ軸１０の尾端のねじ山１０２に螺着されているナット１２を締め付ける。これにより、ねじ軸１０の円錐部１０１がスリーブ１１の切り欠１１０に押付けて、スリーブ１１の切り欠１１０が拡径して、アンカー１が壁面３に固定する。
【０００５】
しかし、アンカー１の取付は、まず、ドリル２により、アンカー１を取り付けたい箇所に穴を開けて、当該穴にアンカー１を打ち込むことが必要なため、極めて不便である。大量のアンカー１を取り付けたい場合には、取付プロセスが複雑なため、工数がかなり掛かる問題があった。
【考案の概要】
【考案が解決しようとする課題】
【０００６】
本考案の主な目的は、ねじ軸にドリルが設けられているセルフタッピングねじ軸を有し、セルフタッピングねじ軸の先端の円錐部がある深さまで壁面に穴を開けることが可能であり、穴を別に開けることが必要せず、ナットを締め付けると、そのまま利用可能なアンカーを提供することにある。
【課題を解決するための手段】
【０００７】
本考案のアンカーによると、セルフタッピングねじ軸と、膨張スリーブと、ナットと、から構成され、ドリルであるセルフタッピングねじ軸の先端には、円錐部が設けられており、その後方にねじ軸が設けられており、セルフタッピングねじ軸の尾端には、ねじ山が設けられており、係止ロッドが延びており、膨張スリーブは、中空で円筒状を呈し、セルフタッピングねじ軸に嵌め設けられており、セルフタッピングねじ軸の先端と接触する端部に切り欠が設けられており、ナットは、セルフタッピングねじ軸の尾端に設けられているねじ山に螺着されており、その外径が膨張スリーブの外径よりもやや大きいことを特徴とする。
【考案の効果】
【０００８】
本考案のアンカーによれば、ねじ軸にドリルが設けられているセルフタッピングねじ軸を有し、セルフタッピングねじ軸の先端の円錐部がある深さまで壁面に穴を開けることが可能であり、穴を別に開けることが必要せず、ナットを締め付けると、そのまま利用可能であるという効果を有する。
【図面の簡単な説明】
【０００９】
【図１】従来のアンカーを示す分解斜視図である。
【図２】従来のアンカーの組合済み状態を示す模式図である。
【図３】従来のアンカーの使用状態を示す模式図１である。
【図４】従来のアンカーの使用状態を示す模式図２である。
【図５】本考案の実施例を示す分解斜視図である。
【図６】本考案の実施例の組合済み状態を示す模式図である。
【図７】本考案の実施例の使用状態を示す模式図１である。
【図８】本考案の実施例の使用状態を示す模式図２である。
【考案を実施するための最良の形態】
【００１０】
以下、本考案の実施の形態を図面に基づいて説明する。
図５を参照する。図５は本考案の実施例を示す分解斜視図である。本実施例のアンカー４は、セルフタッピングねじ軸４０と、膨張スリーブ４１と、ナット４２と、から構成される。セルフタッピングねじ軸４０の先端はドリル４０１である。ドリル４０１は、その前に円錐部４０１１が形成されており、その後ろに穴あけ螺旋４０２が延びている。セルフタッピングねじ軸４０は、中段にねじ軸４０３が設けられており、尾段にねじ山４０４が設けられており、尾段から係止ロッド４０５が延びている。膨張スリーブ４１は、中空で円筒状を呈し、一端に切り欠４１０が設けられている。ナット４２は、セルフタッピングねじ軸４０の尾端に設けられているねじ山４０４に螺着されており、その外径が膨張スリーブ４１の外径よりもやや大きい。
【００１１】
図６を参照する。図６は本考案の実施例の組合済み状態を示す模式図である。セルフタッピングねじ軸４０は、膨張スリーブ４１に挿入されており、図５に示すように、ドリル４０１と円錐部４０１１が膨張スリーブ４１の切り欠４１０の一端から突出して露呈する。ナット４２は、セルフタッピングねじ軸４０の尾端に設けられているねじ山４０４に螺着されている。
【００１２】
図７を参照する。図７は本考案の実施例の使用状態を示す模式図１である。電気ドリル５にセルフタッピングねじ軸４０の尾端に設けられている係止ロッド４０５を係止して、セルフタッピングねじ軸４０に設けられており穴あけ螺旋４０２を有する円錐部４０１１により、壁面６を掘削して差し込んでいるときに、ねじ軸４０３により切り屑が排出される。これにより、アンカー４全体を壁面６に差し込むことが可能である。
【００１３】
図８を参照する。図８は本考案の実施例の使用状態を示す模式図２である。アンカー４を壁面６に差し込んだ後、セルフタッピングねじ軸４０の尾端に設けられているねじ山４０４に螺着されているナット４２を締め付けると、ナット４２の外径が膨張スリーブ４１の外径よりもやや大きいため、ナット４２を締め付けているときに、膨張スリーブ４１の切り欠４１０がセルフタッピングねじ軸４０のドリル４０１に拡径されて壁面６に押付けるようになる。これにより、壁面６にアンカー４を固定することが可能である。
【産業上の利用可能性】
【００１４】
本考案は、アンカーに適用することができる。
【符号の説明】
【００１５】
１  アンカー
２  ドリル
３  壁面
４  アンカー
５  電気ドリル
６  壁面
１０  ねじ軸
１１  スリーブ
１２  ナット
３０  穴
４０  セルフタッピングねじ軸
４１  膨張スリーブ
４２  ナット
１０１  円錐部
１０２  ねじ山
１１０  切り欠
４０１  ドリル
４０２  穴あけ螺旋
４０３  ねじ軸
４０４  ねじ山
４０５  係止ロッド
４１０  切り欠
４０１１  円錐部
【図１】
0003196245.tif 000003
【図２】
0003196245.tif 000004
【図３】
0003196245.tif 000005
【図４】
0003196245.tif 000006
【図５】
0003196245.tif 000007
【図６】
0003196245.tif 000008
【図７】
0003196245.tif 000009
【図８】
0003196245.tif 000010